(57)【特許請求の範囲】
【請求項１】
ストレート状の水を吐水するストレート吐水口と、前記ストレート吐水口の周囲に設けられ空気を吐出する空気口と、前記空気口の周囲に設けられ膜状の水を吐水する膜吐水口と、を形成する吐水部と、
前記ストレート吐水口に水を供給するストレート吐水管と、
前記空気口に空気を供給する空気供給管と、
前記膜吐水口に水を供給する膜吐水管と、
を備え、
前記ストレート吐水管、前記空気供給管、及び前記膜吐水管は、前記吐水部において内側から順に３重の入れ子構造を有し、前記吐水部よりも上流側の第１分岐点において、前記ストレート吐水管を管外に分岐させた、前記空気供給管及び前記膜吐水管による２重の入れ子構造を有する、水栓。
【請求項２】
前記第１分岐点の上流側の第２分岐点において、前記空気供給管を前記膜吐水管の管外に分岐させる、請求項１に記載の水栓。
【請求項３】
前記第２分岐点の上流側で、前記ストレート吐水管、前記空気供給管、及び前記膜吐水管を収容する収容管をさらに備え、
前記収容管は、前記水栓を支持する台座に向かって延びる、請求項２に記載の水栓。
【請求項４】
前記ストレート吐水管は、前記収容管から上方へ延びて、前記収容管の外部で前記第１分岐点に向かって湾曲して延びる、請求項３に記載の水栓。
【請求項５】
前記ストレート吐水管は、前記第１分岐点に対して着脱可能である、請求項１から４のいずれか一項に記載の水栓。
【請求項６】
前記ストレート吐水管は、前記第１分岐点から前記ストレート吐水口まで直線的に延びるように取り付けられる、請求項１から５のいずれか一項に記載の水栓。
【請求項７】
前記膜吐水管は、前記吐水部において管内を流れる水を部分的に遮ってオーバーフローさせるオーバーフロー構造を有する、請求項１から６のいずれか一項に記載の水栓。
【請求項８】
前記膜吐水管は、前記吐水部において管内を流れる水を複数の貫通孔を通じて下流側に流す、請求項１から７のいずれか一項に記載の水栓。
【発明の詳細な説明】
【技術分野】
【０００１】
本発明は、水栓に関する。
【背景技術】
【０００２】
従来の水栓には、例えば、特許文献１に記載されているものが知られている。特許文献１には、吐出流体が水滴や飛沫を生じない薄い立体水膜を形成し、吐水量が少量でも広い範囲に効率良く拡流する流体用蛇口が記載されている。
【先行技術文献】
【特許文献】
【０００３】
【特許文献１】特開平５−１４０９７３号公報
【発明の概要】
【発明が解決しようとする課題】
【０００４】
しかしながら、膜状の水だけでなくストレート状の水も吐水する水栓や、膜状の水を安定して吐水するために、膜状の水の内側に空気を吐出する水栓等が考えられる。水栓において、膜状の水、ストレート状の水、及び空気を吐出する場合、水栓の構造が複雑となり、設計の自由度が低下し得る。このため、設計の自由度を向上させて、膜状の水、ストレート状の水、及び空気を吐出することができる水栓を提供するという観点において、未だ改善の余地があると言える。
【０００５】
本発明の目的は、上記課題を解決することにあって、設計の自由度を向上させて、膜状の水、ストレート状の水、及び空気を吐出することができる水栓を提供することにある。
【課題を解決するための手段】
【０００６】
上記目的を達成するために、本発明の一態様の水栓は、ストレート状の水を吐水するストレート吐水口と、前記ストレート吐水口の周囲に設けられ空気を吐出する空気口と、前記空気口の周囲に設けられ膜状の水を吐水する膜吐水口と、を形成する吐水部と、前記ストレート吐水口に水を供給するストレート吐水管と、前記空気口に空気を供給する空気供給管と、前記膜吐水口に水を供給する膜吐水管と、を備え、前記ストレート吐水管、前記空気供給管、及び前記膜吐水管は、前記吐水部において内側から順に３重の入れ子構造を有し、前記吐水部よりも上流側の第１分岐点において、前記ストレート吐水管を管外に分岐させた、前記空気供給管及び前記膜吐水管による２重の入れ子構造を有する。
【発明の効果】
【０００７】
本発明に係る水栓によれば、設計の自由度を向上させて、膜状の水、ストレート状の水、及び空気を吐出することができる。
【図面の簡単な説明】
【０００８】
【図１】本発明の実施形態に係る水栓の概略構成を示す斜視図
【図２】本発明の実施形態に係るストレート吐水管を第１分岐点に対して取り外した状態を示す斜視図
【図３】本発明の実施形態に係る膜吐水管、ストレート吐水管、及び空気供給管の配管構成を模式的に示す図
【図４】本発明の実施形態に係る水栓の概略構成を示す縦断面図
【図５】本発明の実施形態に係る水栓の概略構成を示す横断面図
【図６】図４のＸ１部分の拡大図
【図７】図６の部分分解図
【図８】図６の吐水部周辺の拡大図
【発明を実施するための形態】
【０００９】
本発明の第１態様によれば、ストレート状の水を吐水するストレート吐水口と、前記ストレート吐水口の周囲に設けられ空気を吐出する空気口と、前記空気口の周囲に設けられ膜状の水を吐水する膜吐水口と、を形成する吐水部と、前記ストレート吐水口に水を供給するストレート吐水管と、前記空気口に空気を供給する空気供給管と、前記膜吐水口に水を供給する膜吐水管と、を備え、前記ストレート吐水管、前記空気供給管、及び前記膜吐水管は、前記吐水部において内側から順に３重の入れ子構造を有し、前記吐水部よりも上流側の第１分岐点において、前記ストレート吐水管を管外に分岐させた、前記空気供給管及び前記膜吐水管による２重の入れ子構造を有する、水栓を提供する。
【００１０】
本発明の第２態様によれば、前記第１分岐点の上流側の第２分岐点において、前記空気供給管を前記膜吐水管の管外に分岐させる、第１態様に記載の水栓を提供する。
【００１１】
本発明の第３態様によれば、前記第２分岐点の上流側で、前記ストレート吐水管、前記空気供給管、及び前記膜吐水管を収容する収容管をさらに備え、前記収容管は、前記水栓を支持する台座に向かって延びる、第２態様に記載の水栓を提供する。
【００１２】
本発明の第４態様によれば、前記ストレート吐水管は、前記収容管から上方へ延びて、前記収容管の外部で前記第１分岐点に向かって湾曲して延びる、第３態様に記載の水栓を提供する。
【００１３】
本発明の第５態様によれば、前記ストレート吐水管は、前記第１分岐点に対して着脱可能である、第１態様から第４態様のいずれか１つに記載の水栓を提供する。
【００１４】
本発明の第６態様によれば、前記ストレート吐水管は、前記第１分岐点から前記ストレート吐水口まで直線的に延びるように取り付けられる、第１態様から第５態様のいずれか１つに記載の水栓を提供する。
【００１５】
本発明の第７態様によれば、前記膜吐水管は、前記吐水部において管内を流れる水を部分的に遮ってオーバーフローさせるオーバーフロー構造を有する、第１態様から第６態様のいずれか１つに記載の水栓を提供する。
【００１６】
本発明の第８態様によれば、前記膜吐水管は、前記吐水部において管内を流れる水を複数の貫通孔を通じて下流側に流す、第１態様から第７態様のいずれか１つに記載の水栓を提供する。
【００１７】
以下、本発明に係る実施形態を図面に基づいて詳細に説明する。なお、この実施形態によって本発明が限定されるものではない。
【００１８】
（実施形態）
まず、図１を用いて、水栓１の概略構成について説明する。図１は、本実施形態に係る水栓１の斜視図である。水栓１は、例えば、キッチン、洗面所、バス等に設けられる水栓装置である。以下の図面において、Ｘ方向及びＹ方向は、水平面内で互いに直交する方向であって、Ｚ方向は、Ｘ方向及びＹ方向に直交する高さ方向（上下方向）である。
【００１９】
図１に示すように、水栓１は、膜状の水及びストレート状の水を吐水する。本実施形態の膜状の水は、平面視で環状（例えば、円環状）であって、下方（−Ｚ方向）に向かって外側に広がるように形成される。ストレート状の水は、膜状の水の内側において下方に向かってストレート状に真っ直ぐ吐水される。
【００２０】
さらに、水栓１は、膜状の水を安定して形成できるようにするために、膜状の水の内側であってストレート状の水の外側において空気を吐出する。膜状の水、ストレート状の水、及び空気の吐出構成の具体的な説明については、後で詳述する。
【００２１】
水栓１は、吐水口１０が形成される吐水部２０と、膜吐水管３０と、ストレート吐水管４０と、空気供給管５０と、スパウト本体６０と、収容管７０とを備える。
【００２２】
膜吐水管３０は、膜状の水を吐水するための配管である。ストレート吐水管４０は、ストレート状の水を吐水するための配管である。空気供給管５０は、空気を吐出するための配管である。膜吐水管３０、ストレート吐水管４０、及び空気供給管５０は、いずれも吐水部２０（吐水口１０）に接続される。
【００２３】
スパウト本体６０は、水栓１の本体を構成する部分である。収容管７０は、膜吐水管３０、ストレート吐水管４０、及び空気供給管５０を収容する部分である。収容管７０は、水栓１を支持する台座３に向かって（例えば、上下方向に）延びる。収容管７０によって、内部の配管を覆い隠すことができるため、デザイン性を向上させることができる。
【００２４】
図２は、ストレート吐水管４０をスパウト本体６０から取り外した状態の水栓１の斜視図である。図２に示すように、本実施形態の水栓１において、ストレート吐水管４０は、スパウト本体６０に対して着脱可能に構成される。
【００２５】
ストレート吐水管４０は、スパウト本体６０の上面に形成される開口６１に挿入される。ストレート吐水管４０が開口６１に挿入された状態においては、ストレート状の水は、膜状の水の内側で吐水される。ストレート吐水管４０が開口６１から取り外された状態においては、ストレート状の水は、膜状の水の外側で吐水される。
【００２６】
次に、図３を用いて、膜吐水管３０、ストレート吐水管４０、及び空気供給管５０の配管構成について説明する。図３は、膜吐水管３０、ストレート吐水管４０、及び空気供給管５０の配管構成を模式的に示す図である。なお、図３において、説明の便宜上、水栓１の一部の構成部材を省略して図示している。
【００２７】
図３に示すように、吐水口１０は、膜吐水を行う膜吐水口１２と、ストレート吐水を行うストレート吐水口１４と、空気を吐出する空気口１６とを有する。空気口１６は、ストレート吐水口１４の周囲に設けられ、膜吐水口１２は、空気口１６の周囲に設けられる。
【００２８】
膜吐水管３０は、膜吐水口１２に連通して膜吐水口１２に水を供給する。ストレート吐水管４０は、ストレート吐水口１４に連通してストレート吐水口１４に水を供給する。空気供給管５０は、空気口１６に連通して空気口１６に空気を供給する。
【００２９】
吐水部２０において、膜吐水管３０の管内に空気供給管５０が配置され、空気供給管５０の管内にストレート吐水管４０が配置された３重菅構造となっている。すなわち、吐水部２０において、ストレート吐水管４０、空気供給管５０、及び膜吐水管３０は、内側から順に３重の入れ子構造を有する。
【００３０】
吐水部２０よりも上流側の第１分岐点Ｐ１において、ストレート吐水管４０は、膜吐水管３０及び空気供給管５０の管外に分岐する。これにより、第１分岐点Ｐ１よりも上流側において、ストレート吐水管４０は、空気供給管５０から独立して配置された状態となる。
【００３１】
第１分岐点Ｐ１よりも上流側では、膜吐水管３０の管内に空気供給管５０が配置されて２重菅構造となっている。すなわち、空気供給管５０及び膜吐水管３０は、内側から順に２重の入れ子構造となっている。
【００３２】
第１分岐点Ｐ１よりもさらに上流側の第２分岐点Ｐ２において、空気供給管５０は、膜吐水管３０の管外に分岐する。これにより、第２分岐点Ｐ２よりも上流側において、膜吐水管３０、ストレート吐水管４０、及び空気供給管５０は、それぞれ独立して配置された状態となる。
【００３３】
次に、図４及び図５を用いて、図３よりも詳細な配管構成について説明する。図４は、水栓１の概略構成を示す縦断面図である。図５は、水栓１の概略構成を示す横断面図である。
【００３４】
図４に示すように、膜吐水管３０は、第１膜吐水管３１、第２膜吐水管３２、及び第３膜吐水管３３を有する。第１膜吐水管３１は、第２分岐点Ｐ２よりも上流側において上下方向（Ｚ方向）に延びる部分である。第２膜吐水管３２は、第１膜吐水管３１の下流側に接続して第１膜吐水管３１の側方（例えば、Ｘ方向）に延びる部分である。第３膜吐水管３３は、第２膜吐水管３２の下流側に接続して下方（−Ｚ方向）に延びる部分である。
【００３５】
本実施形態の第２膜吐水管３２は、水栓１の外表面を構成する。具体的には、第２膜吐水管３２は、スパウト本体６０の一部を構成する。
【００３６】
ストレート吐水管４０は、第１ストレート吐水管４１、第２ストレート吐水管４２、及び第３ストレート吐水管４３を有する。第１ストレート吐水管４１は、第２分岐点Ｐ２よりも上流側において上下方向（Ｚ方向）に延びる部分である。第２ストレート吐水管４２は、第１ストレート吐水管４１の下流側から上方に延びてスパウト本体６０の外側に露出する。第２ストレート吐水管４２は、スパウト本体６０の外側で第１分岐点Ｐ１に向かってアーチ状に湾曲して延びる部分である。第３ストレート吐水管４３は、第２ストレート吐水管４２の下流側に接続して下方（−Ｚ方向）に延びる部分である。本実施形態の第３ストレート吐水管４３は、第１分岐点Ｐ１からストレート吐水口１４まで直線的にＺ方向に延びるように取り付けられる。
【００３７】
空気供給管５０は、第１空気供給管５１、第２空気供給管５２、及び第３空気供給管５３を有する。第１空気供給管５１は、第２分岐点Ｐ２よりも上流側において上下方向（Ｚ方向）に延びる部分である。第２空気供給管５２は、第１空気供給管５１の下流側に接続して第１空気供給管５１の側方（例えば、Ｘ方向）に延びる部分である。第３空気供給管５３は、第２空気供給管５２の下流側に接続して下方（−Ｚ方向）に延びる部分である。
【００３８】
第１分岐点Ｐ１よりも下流側において、第３ストレート吐水管４３は、第３空気供給管５３の管内に配置され、第３空気供給管５３は、第３膜吐水管３３の管内に配置される。
【００３９】
第１分岐点Ｐ１と第２分岐点Ｐ２との間において、第２ストレート吐水管４２は、第２膜吐水管３２及び第２空気供給管５２の管外に配置され、第２空気供給管５２は第２膜吐水管３２の管内に配置される。
【００４０】
第２分岐点Ｐ２よりも上流側において、第１膜吐水管３１、第１ストレート吐水管４１、及び第１空気供給管５１は、それぞれ独立して配置される。
【００４１】
本実施形態では、第１膜吐水管３１、第１ストレート吐水管４１、及び第１空気供給管５１は、第２分岐点Ｐ２の上流側で収容管７０に収容される。収容管７０は、例えば上端部において、第２膜吐水管３２に取り付けられる。
【００４２】
次に、配管内の流体の流れについて説明する。
【００４３】
図４及び図５の矢印に示すように、第１膜吐水管３１の管内の空間９０（流路）を通じて、第２膜吐水管３２へ水が流れる。第１膜吐水管３１からの水は、第２膜吐水管３２及び第３膜吐水管３３を通じて膜吐水口１２へ流れる。具体的には、第１膜吐水管３１からの水は、第２膜吐水管３２と第２空気供給管５２との間の空間９１を通じて第３膜吐水管３３へ流れ、さらに、第３膜吐水管３３と第３空気供給管５３との間の空間９２を通じて膜吐水口１２へ流れる。
【００４４】
第１ストレート吐水管４１の管内の空間９３を通じて、第２ストレート吐水管４２へ水が流れる。第１ストレート吐水管４１からの水は、第２ストレート吐水管４２内の空間９４及び第３ストレート吐水管４３内の空間９５を通じてストレート吐水口１４へ流れる。
【００４５】
第１空気供給管５１の管内の空間９６を通じて、第２空気供給管５２へ空気が流れる。第１空気供給管５１からの空気は、第２空気供給管５２内の空間９７へ流れる。第２空気供給管５２からの空気は、第３空気供給管５３を通じて空気口１６へ流れる。具体的には、第２空気供給管５２からの空気は、第３空気供給管５３と第３ストレート吐水管４３との間の空間９８を通じて空気口１６へ流れる。
【００４６】
次に、図６及び図７を用いて、吐水部２０周辺の構成について具体的に説明する。図６は、図４のＸ１部分の拡大図である。図７は、図６の部分分解図である。
【００４７】
図６に示すように、第１膜吐水管３１（図４）から供給される水は、第２膜吐水管３２と第２空気供給管５２との間の空間９１を通る。本実施形態では、空間９１を通る水は、第３膜吐水管３３に形成される貫通孔３５を通じて膜吐水口１２に送られる。貫通孔３５は、第３空気供給管５３の周囲において（例えば、外周に沿って）複数個形成される。
【００４８】
第１空気供給管５１（図４）から供給される空気は、第２空気供給管５２内を通った後、第３空気供給管５３と第３ストレート吐水管４３との間の空間９８を通り、空気口１６から吐出される。
【００４９】
第２ストレート吐水管４２と第３ストレート吐水管４３との間には、第２膜吐水管３２に当接するフランジ部４４が形成される。フランジ部４４によって、第２膜吐水管３２に対する第２ストレート吐水管４２の上下方向の位置決めが行われる。
【００５０】
第３空気供給管５３の内側には、第３ストレート吐水管４３を収容する筒状部４５が形成される。筒状部４５に第３ストレート吐水管４３が挿入されて、第３ストレート吐水管４３の水平方向の位置決めが行われる。
【００５１】
図６及び図７に示すように、本実施形態の第３膜吐水管３３の管内には、アタッチメント８０が取り付けられる。アタッチメント８０は、例えば、第３空気供給管５３に対して着脱可能に取り付けられる。第２膜吐水管３２から供給される水は、第３膜吐水管３３とアタッチメント８０との間の空間９９を通って、膜吐水口１２から吐水される。膜吐水口１２は、第３膜吐水管３３とアタッチメント８０との間において、平面視で環状（例えば、円環状）に形成される。
【００５２】
次に、図８を用いて、吐水部２０周辺のより具体的な構成について説明する。図８は、図６の吐水部２０周辺の拡大図である。
【００５３】
図８に示すように、第３膜吐水管３３は、管内を流れる水を部分的に遮ってオーバーフローさせるオーバーフロー構造７３を有する。本実施形態のオーバーフロー構造７３は、アタッチメント８０によって形成される。すなわち、アタッチメント８０によって、第３膜吐水管３３の管内を流れる水をオーバーフローさせる。
【００５４】
アタッチメント８０には、第３膜吐水管３３の管内を流れる水を収容する凹部８１が形成される。例えば、凹部８１は、貫通孔３５の下方に形成される。これにより、貫通孔３５を通じて下方へ流れる水が、凹部８１を経由して膜吐水口１２に流すことができる。
【００５５】
凹部８１は、貫通孔３５の下方に配置されて水を受ける第１の面８１ａと、第１の面８１ａに接続する第２の面８１ｂとを有する。第１の面８１ａは、上下方向に交差する方向（例えば、水平方向）に延びる。第２の面８１ｂは、第１の面８１ａから上方に延びる。
【００５６】
本実施形態のアタッチメント８０の外周部には、凹部８１よりも径方向外側において、傾斜面８３が形成される。傾斜面８３は、下方（先端）に向かうにつれて外側に広がるように上下方向に対して傾斜して延びる。第３膜吐水管３３の内周部には、傾斜面８３に対向する傾斜面３４が形成される。傾斜面３４は、傾斜面８３に沿って延びて形成される。膜吐水口１２は、傾斜面８３の下端部と傾斜面３４の下端部との間に形成される。傾斜面３４，８３を形成することにより、膜吐水口１２から下方に向けて広範囲に膜吐水を行うことができる。
【００５７】
本実施形態の水栓１において、膜吐水管３０、ストレート吐水管４０、及び空気供給管５０は、最下流側に位置する吐水部２０において３重菅構造となっており、第１分岐点Ｐ１においてストレート吐水管４０が管外に分岐した構造となっている。これにより、第１分岐点Ｐ１でストレート吐水管４０を管外に分岐させずに第１分岐点Ｐ１より上流側でも３重菅構造とした場合に比べて、ストレート吐水管４０の設計の自由度を向上させることができる。
【００５８】
また、水栓１において、第２分岐点Ｐ２において空気供給管５０が膜吐水管３０の管外に分岐して、３つの管がそれぞれ独立して配置される。これにより、それぞれの管の設計の自由度を向上させることができる。
【００５９】
上述したように、本実施形態の水栓１は、吐水部２０と、ストレート吐水口１４に水を供給するストレート吐水管４０と、空気口１６に空気を供給する空気供給管５０と、膜吐水口１２に水を供給する膜吐水管３０とを備える。吐水部２０には、ストレート状の水を吐水するストレート吐水口１４と、ストレート吐水口１４の周囲に設けられ空気を吐出する空気口１６と、空気口１６の周囲に設けられ膜状の水を吐水する膜吐水口１２とが形成される。ストレート吐水管４０、空気供給管５０、及び膜吐水管３０は、吐水部２０において内側から順に３重の入れ子構造を有する。ストレート吐水管４０、空気供給管５０、及び膜吐水管３０は、吐水部２０よりも上流側の第１分岐点Ｐ１において、ストレート吐水管４０を管外に分岐させた、空気供給管５０及び膜吐水管３０による２重の入れ子構造を有する。
【００６０】
この構成によれば、第１分岐点Ｐ１でストレート吐水管４０を管外に分岐させることで、ストレート吐水管４０の設計の自由度を向上させた、ストレート状の水、膜状の水、及び空気を吐出可能な水栓１を形成することができる。
【００６１】
また、本実施形態の水栓１において、第１分岐点Ｐ１の上流側の第２分岐点Ｐ２において、空気供給管５０を膜吐水管３０の管外に分岐させる。
【００６２】
この構成によれば、３本の管をそれぞれ独立させることで、設計の自由度を向上させることができる。
【００６３】
また、本実施形態の水栓１において、第２分岐点Ｐ２の上流側で、ストレート吐水管４０、空気供給管５０、及び膜吐水管３０を収容する収容管７０をさらに備える。収容管７０は、水栓１を支持する台座３に向かって延びる。
【００６４】
この構成によれば、ストレート吐水管４０、空気供給管５０、及び膜吐水管３０を独立させた構成にしても、収容管７０に収容して外部から見えないようにすることで、デザイン性を向上させることができる。
【００６５】
また、本実施形態の水栓１において、ストレート吐水管４０は、収容管７０から上方へ延びて、収容管７０の外部で第１分岐点Ｐ１に向かって湾曲して延びる。
【００６６】
この構成によれば、ストレート吐水管４０を第１分岐点Ｐ１に向けて湾曲して形成することで、デザイン性を向上させることができる。また、ストレート吐水管４０の材料に柔らかい材料を用いることができる。
【００６７】
また、本実施形態の水栓１において、ストレート吐水管４０は、第１分岐点Ｐ１に対して着脱可能である。
【００６８】
この構成によれば、ストレート吐水管４０を単独で使用することができるため、利便性を向上させることができる。
【００６９】
また、本実施形態の水栓１において、ストレート吐水管４０は、第１分岐点Ｐ１からストレート吐水口１４まで直線的に延びるように取り付けられる。
【００７０】
この構成によれば、ストレート吐水管４０を直線的に延びるように取り付けることで、ストレート吐水の勢いを弱めることなく吐水することができる。
【００７１】
また、本実施形態の水栓１において、膜吐水管３０は、吐水部２０において管内を流れる水を部分的に遮ってオーバーフローさせるオーバーフロー構造を有する。
【００７２】
この構成によれば、膜吐水の勢いを弱めることで、膜吐水の勢いが強くなりすぎて膜吐水が分散して膜が崩れることを防止することができ、安定的な膜吐水を行うことができる。
【００７３】
また、本実施形態の水栓１において、膜吐水管３０は、吐水部２０において管内を流れる水を複数の貫通孔３５を通じて下流側に流す。
【００７４】
この構成によれば、貫通孔３５を通じて下流側に水を流すことで、膜吐水管３０の管内を流れる水の勢いを弱めることができる。これにより、膜吐水の勢いが強くなりすぎて膜吐水が分散して膜が崩れることを防止することができる。
【００７５】
なお、本発明は上記実施形態に限定されるものではなく、その他種々の態様で実施できる。例えば、上記実施形態では、ストレート吐水管４０は、スパウト本体６０に対して着脱可能に構成されるとしたが、これに限定されない。例えば、ストレート吐水管４０は、スパウト本体６０に対して固定して配置されてもよい。
【００７６】
また、ストレート吐水管４０は、第１ストレート吐水管４１、第２ストレート吐水管４２、及び第３ストレート吐水管４３を有するとしたが、第３ストレート吐水管４３を有しない構成であってもよい。例えば、吐水部２０における空気供給管５０の内側で、第３ストレート吐水管４３の代わりに、ストレート吐水口１４に通じる流路が形成されていてもよい。
【００７７】
また、膜吐水口１２から吐水される膜状の水は、平面視で環状（例えば、円環状）に形成されるとしたが、これに限定されない。例えば、膜状の水は、平面視で環状ではなく線状（例えば、曲線状や直線状等）に形成されていてもよい。
【００７８】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００７９】
本発明に係る水栓は、膜状の水及びストレート状の水を吐水する水栓に有用である。
【符号の説明】
【００８０】
１  水栓
３  台座
１０  吐水口
１２  膜吐水口
１４  ストレート吐水口
１６  空気口
２０  吐水部
３０  膜吐水管
３１  第１膜吐水管
３２  第２膜吐水管
３３  第３膜吐水管
３４  傾斜面
３５  貫通孔
４０  ストレート吐水管
４１  第１ストレート吐水管
４２  第２ストレート吐水管
４３  第３ストレート吐水管
４４  フランジ部
４５  筒状部
５０  空気供給管
５１  第１空気供給管
５２  第２空気供給管
５３  第３空気供給管
６０  スパウト本体
６１  開口
７０  収容管
７３  オーバーフロー構造
８０  アタッチメント
８１  凹部
８３  傾斜面
９０，９１，９２，９３，９４，９５，９６，９７，９８，９９  空間
【要約】
【課題】設計の自由度を向上させて、膜状の水、ストレート状の水、及び空気を吐出することができる。
【解決手段】水栓は、ストレート状の水を吐水するストレート吐水口と、ストレート吐水口の周囲に設けられ空気を吐出する空気口と、空気口の周囲に設けられ膜状の水を吐水する膜吐水口と、を形成する吐水部と、ストレート吐水口に水を供給するストレート吐水管と、空気口に空気を供給する空気供給管と、膜吐水口に水を供給する膜吐水管とを備え、ストレート吐水管、空気供給管、及び膜吐水管は、吐水部において内側から順に３重の入れ子構造を有し、吐水部よりも上流側の第１分岐点において、ストレート吐水管を管外に分岐させた、空気供給管及び膜吐水管による２重の入れ子構造を有する。
【選択図】図３【図１】
0006851005.tif 000002
【図２】
0006851005.tif 000003
【図３】
0006851005.tif 000004
【図４】
0006851005.tif 000005
【図５】
0006851005.tif 000006
【図６】
0006851005.tif 000007
【図７】
0006851005.tif 000008
【図８】
0006851005.tif 000009